(57)【要約】【目的】強アルカリ性エッチャントに耐性が大きく、フォトエッチングによるパターン化が容易である赤外線吸収膜を持つ熱型赤外線センサとこれを搭載した放射温度計及びその赤外線吸収膜の形成方法を提供する。【構成】基板から熱分離した空洞上の受光部に二種類以上の異なる物質を分散形成させた薄膜のうち、少なくともそのうちの一種類の物質を除去してなる多孔質層を赤外線吸収膜とし、更にその表面付近の多孔質層の密度を小さくして赤外線の反射を少なくした赤外線吸収膜を有する熱型赤外線センサとその赤外線吸収膜の形成方法。【選択図】　　　図２
2004045339.tif 000002
【特許請求の範囲】
【請求項１】
赤外線吸収膜（２０）を有する熱型赤外線センサにおいて、二種類以上の異なる物質（２５、２６）を分散形成させた薄膜のうち、少なくともそのうちの一種類の物質を除去してなる多孔質層（２１）を赤外線吸収膜（２０）としたことを特徴とする熱型赤外線センサ。
【請求項２】
赤外線吸収膜（２０）の厚み方向の密度が赤外線の入射方向に向かって小さくなるように形成した請求項１記載の熱型赤外線センサ。
【請求項３】
赤外線吸収膜（２０）が、強固な表面皮膜を形成する金属、もしくは、酸化され難い金属材料で形成されている請求項１または２記載の熱型赤外線センサ。
【請求項４】
基板から熱分離した赤外線の受光部（５）に赤外線吸収膜（２０）を形成した請求項１、２または３記載の熱型赤外線センサ。
【請求項５】
請求項１乃至４のいずれかに記載の熱型赤外線センサで、被測定対象物からの赤外線を受光し、該熱型赤外線センサからの赤外線の受光量に対応する電気信号を利用して該被測定対象物の温度を計測するようにした放射温度計。
【請求項６】
熱型赤外線センサの赤外線吸収膜（２０）の形成方法において、基板のうち受光部になるべき領域に、２種類以上の異なる物質（２５、２６）が分散されて薄膜状に堆積形成させる分散堆積工程と、この分散形成された複数の物質（２５、２６）からなる薄膜組成のうち、少なくとも一種類の物質（２６）を除去して多孔質層（２１）を形成する多孔質層形成工程とを含むことを特徴とする赤外線吸収膜（２０）の形成方法。
【請求項７】
分散堆積工程における２種類以上の異なる物質（２５、２６）の分散堆積した薄膜の組成に関し、堆積膜厚が大きくなるに連れ、その後の多孔質層形成工程における除去すべき物質（２６）の成分の割合が多くなるように形成してあり、該多孔質層形成工程により、堆積膜厚が大きくなるに連れ、残存した多孔質層（２１）の密度が小さくなるように形成した請求項６記載の赤外線吸収膜（２０）の形成方法。
【発明の詳細な説明】
【０００１】
【発明の属する技術分野】
本発明は、赤外線吸収膜を有する熱型赤外線センサとこの熱型赤外線センサを用いた放射温度計、更にこの熱型赤外線センサに用いる赤外線吸収膜の形成方法に関するものである。
【０００２】
【従来の技術】
従来、近赤外線を受光するには、量子型の赤外線センサが高感度で、高速応答で用いられているが、体温（３７℃程度）程度の温度から輻射される赤外線のピーク波長は９から１０μｍ程度であり、量子型の赤外線センサでは、冷却が必要で、大型となり高価なものであった。これに対し、非冷却かつ簡便で高感度の赤外センサが求められ、赤外線受光部にサーミスタ材料やサーモパイルなどの感温センサ部を形成し、宙に浮く構造の基板から熱分離した薄膜受光部とした熱型の赤外線センサが報告されてきた。
【０００３】
従来、熱型赤外線センサの受光部で赤外線の吸収効率を上げ、感度を増加するために、赤外線吸収膜を受光部に形成しているが、その赤外線吸収膜として、金黒（ゴールドブラック）を用いたり、グラファイト状のカーボンを用いたり（特開平６−１０９５３５）、カーボンブラックを高分子材料に分散させた薄膜材料（特開平６−７４８２１）を用いたりしていた。
【０００４】
また、従来、金黒などの赤外吸収膜を形成した赤外線受光部を有する熱型赤外線センサの応用として、体温計や受光部をアレー化した非冷却イメージセンサ、また、熱型赤外線センサを搭載した放射温度計として、被測定物体の温度を計測する装置が報告されてきた。
【０００５】
【発明が解決しようとする課題】
しかしながら、金黒は真空度の悪いところで形成するために、付着力が弱く、剥がれ易く、金黒形成後のパターン化が困難なこと、更に互いにマイグレーションするなど経時変化が大きいという問題がある。また、グラファイト状のカーボンでは、適当な化学的エッチャントが無く、ドライプロセスによるパターン化の必要性があり、製作工程に大きな制限があった。さらに、酸素を含む気体中での熱処理は、カーボンを酸化し気体化してしまうという問題もあった。
【０００６】
また、カーボンブラックを高分子材料に分散させた薄膜材料を赤外線吸収膜とした場合には、熱型赤外線センサの受光部を基板から熱分離する空洞形成のためのシリコン基板のエッチャントであるヒドラジンやＫＯＨ溶液などの強アルカリ性エッチャントに高分子材料が侵されるという問題があった。このために、熱分離用の空洞形成後に赤外線吸収膜を形成する必要があり、赤外線吸収膜のパターン化が困難になるという問題があった。
【０００７】
本発明は、電気絶縁性で、赤外線受光部に付着力が大きく、経時変化の極めて少なく、アルカリ性エッチャントに耐性が大きく、フォトエッチングによるパターン化が容易である赤外線吸収膜を持つ熱型赤外線センサとこの熱型赤外線センサを搭載して、被測定対象物からの赤外線を受光して、この熱型赤外線センサからの対応する電気信号を利用して、被測定対象物の温度を計測する放射温度計、及びこの熱型赤外線センサに用いる赤外線の吸収効率が大きな赤外線吸収膜の形成方法を提供することを目的とする。
【０００８】
【課題を解決するための手段】
上記の目的を達成するために、本発明の請求項１に係わる熱型赤外線センサは、赤外線吸収膜２０を有する熱型赤外線センサにおいて、赤外線吸収膜２０として、二種類以上の異なる物質２５、２６を分散形成させた薄膜のうち、少なくともそのうちの一種類の物質２６を除去して、多孔質層２１を形成して、この多孔質層が被測定赤外線の波長で吸収が大きいような赤外線吸収膜２０になるようにしたことを特徴とするものである。
【０００９】
本発明の請求項２に係わる熱型赤外線センサは、赤外線吸収膜２０の厚み方向の密度が赤外線の入射方向に向かって小さくなるように形成したことにより、この赤外線吸収膜２０に向かって入射した赤外線は最初に赤外線吸収膜２０の表面付近の密度が小さく、その付近での反射が小さく、表面から深く入り込むにしたがって、赤外線吸収膜２０の密度が大きくなり、吸収が大きくなると言う、いわゆる赤外線吸収膜２０を傾斜型の材料にすることにより、反射が少ない高吸収材料にするための構造にした場合である。
【００１０】
本発明の請求項３に係わる熱型赤外線センサは、赤外線吸収膜２０が、クロム（Ｃｒ）などの強固な表面皮膜を形成する金属、もしくは、ニクロム（ＮｉとＣｒの合金）や白金などの酸化され難い金属材料で形成した場合である。赤外線を効率よく吸収するには、自由電子が吸収膜にあるべきで、このためには、時間とともに酸化されて、その絶縁膜がどんどん厚く形成されてしまうような材料ではだめである。したがって、表面のみは極めて薄く酸化されても、その内側は酸化されない、又は、酸化され難い金属が最適な赤外線吸収膜２０となる。
【００１１】
本発明の請求項４に係わる熱型赤外線センサは、基板から熱分離した赤外線の受光部５に赤外線吸収膜２０を形成した場合で、薄膜の受光部５の下部に空洞を形成して、さらに、基板との間には、熱伝導がし難いように幅が狭く長く、かつ薄い支持梁となるビームを形成し、受光部が宙に浮いた構造にすると良い。
【００１２】
本発明の請求項５に係わる放射温度計は、上記請求項に記載した特徴のある赤外線吸収膜２０を受光部に有する熱型赤外線センサを用いて、被測定対象物からの赤外線を受光し、該熱型赤外線センサからの赤外線の受光量に対応する電気信号を利用して該被測定対象物の温度を計測するようにした放射温度計を提供するもので、安定で、赤外線の吸収効率が良い赤外線吸収膜２０を有する熱型赤外線センサが得られるので、経時変化の極めて少ない安定で高感度の放射温度計となる。
【００１３】
本発明の請求項６に係わる熱型赤外線センサの赤外線吸収膜の形成方法は、基板の受光部になるべき領域に、例えば、クロム（Ｃｒ）と銅（Ｃｕ）などの２種類以上の異なる物質２５、２６が分散されて薄膜状に堆積形成させる分散堆積工程と、この分散形成された複数の物質２５、２６からなる薄膜組成のうち、少なくとも一種類の物質２６である、例えば、銅（Ｃｕ）を化学的エッチングなどで除去して多孔質層２１を形成する多孔質層形成工程とを含むことを特徴とする赤外線吸収膜２０の形成方法である。もちろん、クロム（Ｃｒ）の代わりに、酸化し難い金属であるニッケル（Ｎｉ）とクロム（Ｃｒ）の合金膜の堆積でもよい。
【００１４】
赤外線吸収膜の分散堆積工程は、各種金属の同時スパッタリング法、同時真空蒸着法や電気メッキ法などで形成することができる。
【００１５】
本発明の請求項７に係わる熱型赤外線センサの赤外線吸収膜２０の形成方法は、分散堆積工程における２種類以上の異なる物質の分散堆積した薄膜の組成に関し、堆積膜厚が大きくなるに連れ、その後の多孔質層形成工程における除去すべき物質２６の成分の割合が多くなるようにして形成してあり、この多孔質層形成工程により、堆積膜厚が大きくなるに連れ、残存する多孔質層２１の密度が小さくなるように形成した請求項６記載の赤外線吸収膜２０の場合である。すなわち、赤外線吸収膜２０の赤外線入射側の表面付近の密度を小さくさせるものである。分散堆積工程により堆積された膜のうち、化学的エッチングなどで除去される物質２６は、多孔質層形成工程で無くなり、その部分に孔が発生するので、残存する多孔質層２１は、赤外線の入射側は、極めて疎になる。したがって、この膜に入射する赤外線の反射が極めて少なく、この多孔質層２１から成る赤外線吸収膜２０は、徐々に赤外線を吸収し、高効率の赤外線吸収膜２０が達成できる。もちろん、多孔質層２１の孔の直径は受光赤外線の波長に対して、吸収効率が良い大きさに調整すべきで、一般には、対象の赤外線波長より十分小さくするようにした方が吸収効率が良い。
【００１６】
【発明の実施の形態】
以下、本発明の実施の形態を実施例に基づき、図面を参照して説明する。
【００１７】
【実施例１】
図１は、本発明の赤外線吸収膜２０を有する熱型赤外線センサのうち、基板としてＳＯＩ基板１を用いたときの熱型赤外線センサチップの構造の一実施例を示したもので、図１（ａ）はその平面図、図１（ｂ）は、図１（ａ）におけるＸ−Ｘからみた断面図を示した概略図である。ＳＯＩ基板のシリコン単結晶薄膜であるＳＯＩ層１１０は、この場合、ｎ型層３２であり、赤外線の受光部５ａ，５ｂで温度を検出するために温度感応部となるｐｎ接合ダイオードからなる温度センサ３０ａ，３０ｂを形成している。このために不純物を拡散してｐ型層３１ａ，３１ｂを形成してある。ここでは、受光部５ａ，５ｂは、基板であるＳＯＩ基板１から空洞１５と溝１４により熱分離してあり、高速応答で、微少の受光赤外線量で温度上昇が大きくなるようにしている。ｎ型層３２からアルミニウムの電極２０２ａ，２０２ｂを形成し、オーム性接触を得るために高濃度ｎ＋領域６０ａ，６０ｂを不純物拡散で形成してあり、ｐ型層３１ａ，３１ｂにもオーム性の電極２０１ａ，２０１ｂを形成し、更に窒化シリコン膜などの絶縁層５１の上を配線し、電極パッド２１１ａ，２１１ｂ，２１２に導くようにしている。また、ここでは描いていないが電極パッド２１１ａ，２１１ｂ，２１２を通して外部回路に接続される。
【００１８】
なお、本実施例の図１（ａ）には、３個のｐｎ接合ダイオードからなる温度センサ３０ａ、３０ｂ、３０ｃを設けた場合を示してあり、温度センサ３０ａは、実際に被測定対象物体からの赤外線を受光する赤外線受光素子の役目をし、温度センサ３０ｂは、被測定対象物体からの赤外線を遮光板または遮光膜で遮断して、雰囲気温度を検出して補償素子としての役目を果たすものである。この場合、放射温度計として実施する場合は、赤外線受光素子と補償素子との差動動作させるとよい。なお、ｐｎ接合ダイオードからなる温度センサ３０ｃは、ＳＯＩ基板１の温度を必要に応じ検出するために設けたものである。
【００１９】
ｐｎ接合ダイオードからなる温度センサ３０ａ、３０ｂ、３０ｃは、順方向バイアスを固定して、順方向電流の温度依存性から温度を検出しても良いし、順方向電流を固定して、そのときの順電圧の温度依存性から温度を検出しても良い。
【００２０】
また、温度センサとして、ｐｎ接合ダイオードの代わりにトランジスタサーミスタを用いることもできるし、サーモパイルやサーミスタなどを用いることもできる。
【００２１】
本実施例では、受光部５ａ，５ｂには、電極２０１ａ，２０１ｂ；２０２ａ，２０２ｂが、短絡されないようにシリコン酸化膜やシリコン窒化膜である絶縁膜５２を介して、赤外線吸収膜２０を形成してある。この赤外線吸収膜２０は、クロム（Ｃｒ）などの極めて薄く強固な皮膜を形成する金属で多孔質層２１を形成し、これを赤外線吸収膜２０とした場合で、一般に赤外線吸収膜２０としての金黒などの場合は、多孔質層２１を形成する電気導体微粒子の直径が数ｎｍから数十ｎｍが体温からの輻射赤外線のピーク波長である９−１０μｍの赤外線に有効であると言われている。
【００２２】
このクロム（Ｃｒ）などの極めて薄く強固な皮膜を形成する金属で多孔質層２１からなる赤外線吸収膜２０は、例えば、次のようにして形成される。先ず、多孔質層２１となる物質２５としてのクロム（Ｃｒ）と除去される物質２６としての銅（Ｃｕ）のような異なる２種類以上の金属を、同時スパッタリングにより３μｍ厚程度の薄膜状で分散形成となるように少なくとも受光部５ａ，５ｂとなる領域に堆積しておき、その後、必要な形状にエッチングなどでパターン化して、受光部５ａ，５ｂとなる領域に形成しておく。この時、クロム（Ｃｒ）と銅（Ｃｕ）の同時スパッタリング堆積を、除去される物質２６としての銅（Ｃｕ）の堆積量を徐々に多くなるようにすれば、堆積の厚み方向である表面方向に向かって、銅（Ｃｕ）の成分が多くなる堆積膜が得られる。
【００２３】
その後、分散形成された堆積膜のうち、クロム（Ｃｒ）は、強酸である王水や硝酸に浸すと極めて薄く強固な皮膜が形成され不動態化する性質があるので残存するが、同時スパッタリング堆積された銅（Ｃｕ）はエッチング除去されるので、クロム（Ｃｒ）からなる多孔質層２１が形成される。銅（Ｃｕ）の成分が表面付近では多くしているので、その分、表面付近はエッチング除去による孔が多く存在して、入射赤外線は、表面付近の疎なる孔質層２１のため反射され難く、深さ方向に入るにつれて有効に吸収される良好な赤外線吸収膜２０となる。このようにして形成されたクロム（Ｃｒ）からなる多孔質層２１を赤外線吸収膜２０とする熱型赤外線センサの基板から熱分離した受光部の断面概略図を図２に示す。この図２に示す実施例は、図１におけるＸ−Ｘ断面における赤外線受光部の断面に対応している。
【００２４】
したがって、上述のような良好な赤外線吸収膜２０を有する熱型赤外線センサは、入射赤外線を効率よく吸収するので、高感度の熱型赤外線センサが提供される。
【００２５】
なお、同一の熱型赤外線センサチップに下部に空洞１５を有する受光部５のマットリックス状アレーを持つ熱型赤外線センサとして、非冷却型イメージセンサを作成することもできる。この場合、補償素子は、マットリックス状に形成された多数の受光部５のアレーに対して、１個だけで済ませることもできる。
【００２６】
【実施例２】
図３には、クロム（Ｃｒ）の多孔質層２１からなる赤外線吸収膜２０の断面概略図を示す。この赤外線吸収膜２０の作成方法は、例えば、次のようにして形成される。
【００２７】
先ず、ＳＯＩ基板１に温度センサ３０となるｐｎ接合ダイオードを３個形成し、そのうちの２個を一対として、実際に赤外線を受光する受光素子（その受光部５ａ）とこの受光素子とは、遮光板を除き、全く同一構造と成るようにした補償素子（その受光部５ｂ）を公知の半導体のＩＣ化技術により電極、電極パッドなどの金属化も含めて形成しておく。そして、その上に赤外線吸収膜２０の形成による電気的短絡を防止するための絶縁膜５２を形成しておく。この工程を温度センサ作成工程と呼ぶことにする。
【００２８】
次に、多孔質層２１となる物質２５と除去される物質２６の異なる２種類以上の金属を、同時スパッタリングにより１μｍから３μｍ厚程度に分散形成となるように、少なくとも受光部５ａ，５ｂとなる領域に堆積する。この工程を分散堆積工程と呼ぶことにする。
【００２９】
なお、この時、多孔質層となる物質２５とエッチングなどで除去される物質２６の同時スパッタリング堆積を何度かに分割して行うか、または、これらの異なる物質２５，２６のスパッタリングターゲットへの投入電力の割合を徐々に変化させるなどして、堆積されてゆく分散形成堆積膜の組成のうち除去される物質２６の堆積成分が多くなるように調整しておけば、堆積の厚み方向である表面方向に向かって、除去される物質２６の成分が多くなる堆積膜が形成される。このようにして得られた堆積膜の断面の概略図を図４（ａ）に示す。実際の実験では多孔質層となる物質２５として、王水や硝酸のような強酸により極めて薄く強固な皮膜が形成されるクロム（Ｃｒ）を選択し、これらの強酸により容易にエッチング除去される物質２６として銅（Ｃｕ）を選択した。
【００３０】
なお、同時スパッタリング時に基板１の温度を３００℃程度に上げておくと堆積されながら、多孔質層となる物質２５や除去される物質２６がそれぞれクラスターを形成しやすく、適度な電気導体微粒子径となるようで、良好な分散形成堆積膜が形成されることも判明した。
【００３１】
その後、フォトリソグラフィにより受光部５ａ，５ｂとなる領域にのみに多孔質層となる物質２５と除去される物質２６とからなる分散形成した堆積膜が残るようにその他の領域の堆積膜をエッチング除去してパターン化する。この工程を堆積膜のパターン化工程と呼ぶことにする。なお、クロム（Ｃｒ）と銅（Ｃｕ）を堆積膜として用いた場合は、フェリシアン化カリウムや塩化第二鉄水溶液などのエッチントを用いるとエッチング除去が容易である。
【００３２】
その後、多孔質層２１となる物質２５として強酸により極めて薄く強固な皮膜が形成され不動態化する金属を用い、そして、その強酸により容易にエッチング除去される物質２６である金属を選択しておくと、分散堆積工程により形成された分散堆積膜は、王水や硝酸などの強酸に晒されると物質２６のみエッチング除去されるので、物質２５からなる多孔質層２１が形成される。この工程を多孔質層形成工程と呼ぶことにする。
【００３３】
なお、上述のように分散堆積工程により形成された分散堆積膜は、その厚み方向の表面付近では、多孔質層２１となる物質２５であるクロム（Ｃｒ）の成分が少ないので、エッチング除去される物質２６である銅（Ｃｕ）がなくなったために生じた孔２７が多くなり、その分、表面付近の密度が疎になったクロム（Ｃｒ）の電気導体微粒子の集まりである多孔質層２１が形成され、これが良好な赤外線吸収膜（２０）として作用する。このようにして、赤外線が入射する表面付近の多孔質層２１の密度が小さい赤外線吸収膜（２０）が形成される。このとき得られた赤外線吸収膜（２０）の断面図を図４（ｂ）に示す。
【００３４】
なお、上述の分散堆積工程、パターン化工程及び多孔質層形成工程を赤外線吸収膜形成工程と呼ぶことにする。必要に応じ、パターン化工程を省略することもできる。赤外線吸収膜形成工程のフローチャートを図５に示す。
【００３５】
なお、その後、図１の実施例に示すように、ＳＯＩ基板１を用いたときは、受光部５ａ，５ｂになる領域とその支持梁であるビーム１６とを残すように、その領域周辺に溝１４をフォトリソグラフィにより形成し、更にＳＯＩ基板１の裏面から下地基板１０の受光部５ａ，５ｂに対応する箇所の下部をヒドラジンや水酸化カリウム溶液などのアルカリエッチャントである異方性エッチング液を用いて、エッチング除去して空洞１５を形成する。このようにして、基板から熱分離した赤外線の受光部５が形成される。これを空洞部形成工程と呼ぶことにする。
【００３６】
また、エッチング除去される物質２６として、アルミニウムや亜鉛などの金属、プラスチックなど有機物を用いるとアルカリエッチャントである異方性エッチング液によりエッチング除去されるので、この空洞部形成工程を多孔質層形成工程と兼用にすることもできる。
【００３７】
上述のようにして、熱型赤外線センサチップが形成される。
【００３８】
その後、熱型赤外線センサチップの電極パッド２１１，２１２ａ，２１２ｂ，２１２ｃからリード線を引き出し、パッケージにマウントする。この工程をパッケージング工程と呼ぶことにする。
【００３９】
このようにして熱型赤外線センサが完成する。この熱型赤外線センサを製作する重要な工程のフローチャートを図６に示す。
【００４０】
【実施例３】
本発明の放射温度計は、上述のようにして容易に作成された安定で高効率吸収可能などの特徴を有する赤外線吸収膜を持つ熱型赤外線センサを搭載するもので、熱型赤外線センサに非測定対象物からの赤外線を有効に集める光学系を持ち、非測定対象物からの赤外線に対応した熱型赤外線センサからの差動出力を増幅する差動増幅器、非測定対象物の温度を割り出す演算回路とメモリ機能、温度として表示する表示回路と表示部、及び温度のデータ出力、駆動電源部などを有するものである。この本発明の放射温度計の構成で、その主要部のブロック図を図７に示す。なお、電源部は省略した。
【００４１】
上述の実施例は本発明の一実施例に過ぎず、本発明の主旨および作用、効果が同一でありながら、本発明の多くの変形があることは明らかである。
【００４２】
【発明の効果】
熱型赤外線センサの感度を向上させるため設ける空洞の形成後に赤外線吸収膜を形成しようとしたときには、空洞上の受光部は極めて薄いので、取り扱いが困難であるばかりでなく、フォトリソグラフィのためのフォトレジストが段差や溝が表面に形成されているとエッジ付近で塗布され難いなどの問題があった。
【００４３】
しかし、以上説明したように、本発明の赤外線吸収膜を有する熱型赤外線センサと赤外線吸収膜の形成方法によると、赤外線吸収膜をニクロム（Ｎｉ−Ｃｒ）合金やクロム（Ｃｒ）などの酸化しにくい金属や強酸により強固な極めて薄い皮膜を形成する金属などから成り、赤外線の波長に比べ十分小さな直径を有する電気導体微粒子から成る多孔質層が容易に形成でき、この多孔質層から成る赤外線吸収膜が容易に形成できるので、赤外線の受光部を基板からの熱分離のための空洞を形成するために使用するヒドラジンなどの強アルカリエッチャントに対しても極めて高い耐性を有する。したがって、この受光部下部の空洞形成のための異方性エッチング工程を赤外線吸収膜形成後に行うことができるので、熱型赤外線センサの作製工程が容易になり、経時変化が少なく安価で高感度の熱型赤外線センサが提供できる。
【００４４】
また、本発明の赤外線吸収膜の形成方法によると、多孔質層から成る赤外線吸収膜は、赤外線の入射に対してその表面付近が疎なる多孔質層と成っているので、赤外線の反射が少なく、その分、赤外線吸収膜で多く吸収されるので、吸収効率の良い効率の良い、高感度の熱型赤外線センサが提供できる。
【００４５】
また、本発明の熱型赤外線センサを搭載した放射温度計は、高感度で、経時変化の少ない装置として提供される。
【図面の簡単な説明】
【図１】本発明の赤外線吸収膜２０を有する熱型赤外線センサチップの基板としてＳＯＩ基板１を用いた場合の熱型赤外線センサチップの概念図で、図１（ａ）はその平面図、図１（ｂ）は断面図である。
【図２】本発明の熱型赤外線センサチップに形成される赤外線吸収膜２０を有する赤外線受光部を拡大した断面図の一実施例の概略図で、温度センサ３０としてのｐｎ接合ダイオード、多孔質層２１から成る赤外線吸収膜２０を有する基板から熱分離した構造の受光部５を示している。
【図３】本発明の熱型赤外線センサの赤外線吸収膜２０のみの断面図構造図の一実施例を示す概略図である。
【図４】本発明の熱型赤外線センサの赤外線吸収膜２０を形成する方法に関し、その主要作成工程による形成膜の断面構造の概略を示したもので、図４（ａ）は、分散堆積工程により得られた分散堆積膜の断面構造概略図を示し、図４（ｂ）は、多孔質層形成工程の結果得られた多孔質層２１の断面構造概略図である。
【図５】本発明の熱型赤外線センサの赤外線吸収膜２０を形成する方法に関し、その主要工程をフローチャートにした一実施例を示したものである。
【図６】本発明の赤外線吸収膜２０を有する熱型赤外線センサ作成の主要工程をフローチャートにした一実施例を示したものである。
【図７】本発明の赤外線吸収膜２０を有する熱型赤外線センサを搭載した放射温度計の主要な構成をブロック図にした一実施例を示したものである。
【符号の説明】
１　ＳＯＩ基板
５、５ａ、５ｂ　受光部
１０　下地基板
１４　溝
１５　空洞
１６　ビーム
２０　赤外線吸収膜
２１　多孔質層
２５　物質（多孔質層となる物質）
２６　物質（除去される物質）
２７　孔
３０、３０ａ、３０ｂ、３０ｃ　温度センサ
３１、３１ａ　ｐ型層
３２　ｎ型層
６０　高濃度ｎ＋領域
５０、５１、５２、５３　絶縁層
１１０　ＳＯＩ層
２０１ａ、２０１ｂ、２０２ａ、２０２ｂ　電極
２１１ａ、２１１ｂ、２１１ｃ、２１２　電極パッド
【図１】
2004045339.tif 000003
【図２】
2004045339.tif 000004
【図３】
2004045339.tif 000005
【図４】
2004045339.tif 000006
【図５】
2004045339.tif 000007
【図６】
2004045339.tif 000008
【図７】
2004045339.tif 000009